(57)【要約】      （修正有）【課題】自立するケース本体内に、ループ部を変形させることなく、保持できると共に、増毛用ファイバーを傷付けることなく、片手でも簡単に取り出すことができる増毛用ファイバーケースを提供する。【解決手段】略山形に形成し、自立するケース本体の両側に、増毛用ファイバーを取り付けるべくスリット４aを形設してなる取付板４を設け、増毛用ファイバーを保護するカバー３を設けると共に、増毛用ファイバーの先端のループ部を保持する保持軸５を設けてなることを特徴とする増毛用ファイバーケース。【選択図】図１
0003119065.tif 000002
【実用新案登録請求の範囲】
【請求項１】
略山形に形成し、自立するケース本体の両側に、増毛用ファイバーを取り付けるべくスリットを形設してなる取付板を設け、増毛用ファイバーを保護するカバーを設けると共に、増毛用ファイバーの先端のループ部を保持する保持軸を設けてなることを特徴とする増毛用ファイバーケース。
【請求項２】
ケース本体に、自立するための止具を設けてなることを特徴とする請求項１記載の増毛用ファイバーケース。
【請求項３】
取付板が、弾性体であることを特徴とする請求項１又は２記載の増毛用ファイバーケース。
【請求項４】
保持軸を、着脱自在に設けてなることを特徴とする請求項１、２又は３記載の増毛用ファイバーケース。
【請求項５】
保持軸が、ストローであることを特徴とする請求項１、２、３又は４記載の増毛用ファイバーケース。
【請求項６】
カバーの開口の両端に、保持軸を止めるためのストッパーを設けてなることを特徴とする請求項１、２、３、４又は５記載の増毛用ファイバーケース。
【考案の詳細な説明】
【技術分野】
【０００１】  本考案は、増毛する場合に使用する増毛用ファイバーの特にループ部を保持し、形崩れせず、持ち運びや使用し易い増毛用ファイバーケースに関するものである。
【背景技術】
【０００２】  従来技術として、増毛用材料の一部に、後に縮小可能なループ部を設け、そのループ部を被増毛者の自毛の毛根部付近に結び付けるための複数のループ付増毛用材料の保持具であって、紙あるいは紙類似のシート材で形成した第１及び第２の本体シートと、表面に、互いに相手の突起部に着脱自在に係合する突起部が多数配置された一対のシートによって構成され、前記一対のシートとシートの間に前記増毛用材料のほぼ直線状の部分を挟み込んで保持することができる増毛用材料保持部とを備え、前記第１又は第２の本体シートの内側となる面に、前記増毛用材料保持部の対の一方のシートを固定し、前記増毛用材料保持部により保持された前記ループ付増毛用材料のループ部が露出するよう前記第１及び／又は第２の本体シートの一部を外側に折り曲げる折り目を設けたことを特徴とする増毛用材料の保持シートがある。（特許文献１参照）【０００３】  また、別の従来技術として、シート状のホルダー本体と、このホルダー本体の表面に所要間隔を有して平行に設けられた複数本の粘着層と、これらの粘着層に離脱可能に取り付けられかつ毛髪を結着することができる屈曲ループ部を有する多数の増毛体と、これらの増毛体の各交差部分を押え付けるように前記粘着層をカバーする複数枚の剥離紙とから成る増毛体ホルダーがある。（特許文献２参照）
【特許文献１】  特許第３２０６８７９号公報
【特許文献２】  特開平６−２３５１０７号公報
【考案の開示】
【考案が解決しようとする課題】
【０００４】  上記前者の従来技術は、折り目を折り曲げて増毛用材料を引き抜いて取り出しているため両手を使用して取り出さなければならない。
また、着脱自在に係合する突起部にて増毛用材料を引き抜いているため、増毛用材料の表面を傷付ける恐れがある。【０００５】  上記後者の従来技術においては、粘着層にかつ毛髪を貼り付けてなるもので、特に夏場には粘着層が溶けて付着し、使用できなくなる恐れがある。【０００６】  本考案は、上記の問題点に鑑みなされたもので、その目的は、自立するケース本体内に、ループ部を変形させることなく、保持できると共に、増毛用ファイバーを傷付けることなく、片手でも簡単に取り出すことができる増毛用ファイバーケースを提供するものである。
【課題を解決するための手段】
【０００７】  本考案は、上記目的を達成するための手段として、略山形に形成し、自立するケース本体の両側に、増毛用ファイバーを取り付けるべくスリットを形設してなる取付板を設け、増毛用ファイバーを保護するカバーを設けると共に、増毛用ファイバーの先端のループ部を保持する保持軸を設けてなる
また、ケース本体に、自立するための止具を設けてなる。
そして、取付板が、弾性体である。
さらに、保持軸を、着脱自在に設けてなる。
さらにまた、保持軸が、ストローである。
そして、カバーの開口の両端に、保持軸を止めるためのストッパーを設けてなることを特徴とする。
【考案の効果】
【０００８】１）、自立するケース本体にて、片手でも簡単に増毛用ファイバーを取り出すことができる。
２）、取付板が、弾性体であり、増毛用ファイバーを傷付けることなく引き抜くことができる。
３）、保持軸により、ループ部を変形させることなく保持できると共に、移動するにも便利である。
４）、保持軸をストローとすることにより、軽量であり、着脱が簡単に行うことができる。
５）、透明な自己粘着性樹脂を使用することにより中身も見え、忘れることを防止できる。
【考案の実施するための最良の形態】
【０００９】  １は、増毛用ファイバーケースである。
２は、平板を略山形に形成すべく折り目２ａを設けると共に、両端の一方に長寸の凹凸体２ｂ１、他方に短寸の凹凸体２ｂ２を形設してなる止具２ｂを設けてあるケース本体である。
３は、上記ケース本体２の両側に設けてなるカバーで、増毛用ファイバーを保護することを目的とし、一側端を開口３ａすると共に、開口３ａの両端に後述する保持軸を止めるストッパー３ｂを設けてある。
４は、スポンジ等による弾性体で形成された取付板で、所要間隔にて増毛用ファイバーを取り付けるべくスリット４ａ−−−を形設してなるもので、上記カバー３の上端底面に設けてある。
５は、保持軸でストローが望ましく、上記ストッパー３ｂ間に設けるもので、増毛用ファイバーＦのループ部Ｒを保持するものである。
【００１０】  上記増毛用ファイバーケース１の閑じた状態（移動時）を下記に述べる。
ケース本体２の折り目２ａを谷折りし、カバー３・３を重合させた後、止具２（凹凸体２ｂ１と凹凸体２ｂ２）にて固定する。
この状態で持ち運び（移動）できる。
【００１１】  つぎに、増毛用ファイバーケース１の使用時の状態を下記に述べる。
まず、止具２ｂの凹凸体２ｂ１と凹凸体２ｂ２を外し、ケース本体２の折り目２ａを山折りし、再度、止具２ｂにて固定し、略山形に形成する。
この状態で、使用者（図示せず）はストッパー３ｂを外側へ折り曲げ、保持軸５を引き抜く。
つぎに、ループ部Ｒを手で掴み、引き抜くことにより、増毛用ファイバーＦを簡単・容易に取ることができる。
【００１２】  なお、途中で作業を中止する場合は、上記の閉じた状態と同じ作業を行えばよい。
上記実施例において、材質は紙製とするのが望ましいが、特に限定するものではない。
また、増毛用ファイバーの長さや種類も特に限定することもなく、取付本数も必要に応じて決めればよい。
さらに、必要に応じて取付板も２箇所づつ設けてもよい。
【図面の簡単な説明】
【００１３】
【図１】  本考案の第一実施例を示す増毛用ファイバーケースの一部を開放してなる平面図。
【図２】  本考案の第一実施例を示す増毛用ファイバーケースの一部縦断正面図。
【図３】  本考案の第一実施例を示す増毛用ファイバーケースの閉じた状態の正面図。
【図４】  本考案の第一実施例を示す増毛用ファイバーケースの使用時の状態の正面図。
【符号の説明】
【００１４】  １−−−増毛用ファイバーケース
２−−−ケース本体
２ａ−−折り目
２ｂ−−止具
３−−−カバー
３ａ−−開口
３ｂ−−ストッパー
４−−−取付板
４ａ−−スリット
５−−−保持軸
Ｒ−−−ループ部
Ｆ−−−ファイバー
【図１】
0003119065.tif 000003
【図２】
0003119065.tif 000004
【図３】
0003119065.tif 000005
【図４】
0003119065.tif 000006